(57)【要約】【課題】専用の製本機がなくても、フォトブックを簡易に作成することができるインクジェット記録用紙、及びインクジェット記録装置を提供する。【解決手段】  冊子状に製本加工された冊子状媒体を構成するインクジェット記録用紙であって、前記インクジェット記録用紙は、支持体の少なくとも片面にインク受容層を有し、前記支持体の少なくとも一部には磁性体が設けられているインクジェット記録用紙を提供するとともに、冊子状に製本加工された冊子状媒体を構成するインクジェット記録用紙を見開き状態で保持する媒体保持手段と、前記媒体保持手段に保持されたインクジェット記録用紙に対してインク液滴を打滴するインク打滴手段と、を備え、前記媒体保持手段は、磁力を発生する磁力発生部材を含んで構成されるインクジェット記録装置を提供することにより、前記課題を解決する。【選択図】  図１２
2010076311.tif 000002
【特許請求の範囲】
【請求項１】
冊子状に製本加工された冊子状媒体を構成するインクジェット記録用紙であって、
前記インクジェット記録用紙は、支持体の少なくとも片面にインク受容層を有し、
前記支持体の少なくとも一部には磁性体が設けられていることを特徴とするインクジェット記録用紙。
【請求項２】
冊子状に製本加工された冊子状媒体を構成するインクジェット記録用紙を見開き状態で保持する媒体保持手段と、
前記媒体保持手段に保持されたインクジェット記録用紙に対してインク液滴を打滴するインク打滴手段と、を備え、
前記媒体保持手段は、磁力を発生する磁力発生部材を含んで構成されることを特徴とするインクジェット記録装置。
【請求項３】
請求項２に記載のインクジェット記録装置において、
前記媒体保持手段は、平板状部材で構成され、
前記平板状部材の中央部には、前記冊子状媒体の綴じ部を挿入するための開口部が形成されていることを特徴とするインクジェット記録装置。
【請求項４】
請求項３に記載のインクジェット記録装置において、
前記平板状部材の両端部には、前記磁力発生部材が設けられていることを特徴とするインクジェット記録装置。
【請求項５】
請求項４に記載のインクジェット記録装置において、
前記平板状部材には、前記磁力発生部材が内蔵されていることを特徴とするインクジェット記録装置。
【請求項６】
請求項２に記載のインクジェット記録装置において、
前記媒体保持手段は、所定の間隔をあけて平行に配置された一対の棒状部材と、前記一対の棒状部材の外側にそれぞれ配置された磁力発生部材とを含んで構成され、
前記一対の棒状部材の間に前記冊子状媒体の綴じ部が挿入されるとともに、前記見開きページを構成するインクジェット記録用紙の端部は前記磁力発生部材で保持されることを特徴とするインクジェット記録装置。
【発明の詳細な説明】
【技術分野】
【０００１】
本発明はインクジェット記録用紙、及びインクジェット記録装置に係り、特に、写真や適宜組み込んだ文字からなる写真集、いわゆるフォトブックを簡易に作成する技術に関する。
【背景技術】
【０００２】
一般に、インクジェット記録方式は、記録ヘッド（インクジェットヘッド）のノズルからインク液滴を記録媒体に向かって吐出することにより記録を行う方式であり、記録動作時の騒音が低く、ランニングコストが安く、高解像、高品質な画像記録が可能であり、様々な分野で幅広く利用されている。
【０００３】
ところで、従来のフォトブック印刷は、ロール状やシート状の用紙を用いて、写真や文字などの画像を印刷した後、所定の製本手順に従って製本を行っている。これにより、好みの写真又は文字を混在させた写真からなる写真集、即ち、フォトブックが完成する。
【０００４】
製本には、用紙にあらかじめ接着加工を施し、離型紙を剥がして貼り合わせる方法や、接着剤を塗布して貼り合わせる方法などが用いられる。また、ロール紙の場合には、折り曲げのミシン目をつけたり、大きめのサイズのロール紙を裁断したりして、製本を行っている。
【０００５】
特許文献１には、水溶性糊等を使わずに加圧接着方式で製本することができ、しかも環境保全にも寄与する圧着製本用紙が提案されている。この圧着製本用紙は、用紙を構成する紙基材の片面を画像印字記録面とし、反対側の非記録面を感圧接着剤塗布面とするとともに、その面全域若しくはその面の一部に、該基材の製本時に接着剤塗布面同士を対向させて所定圧力にて加圧することにより接着力が発現される感圧性接着剤を塗布して構成されている。
【０００６】
また、特許文献２には、優れた画像鮮明性と保存性を持ち、且つアルバム製本の加工適性に優れたアルバム用インクジェット記録シートが提案されている。このインクジェット記録シートは、支持体上の片面に、合成非晶質シリカとバインダーを主成分とする１層以上のインク受理層が設けられ、該インク受理層と反対側の支持体裏面に、クレー、カオリン、タルクおよび炭酸カルシウムよりなる群から選ばれる少なくとも一種を含む顔料とバインダーを含むバック層を設けてなり、該記録シートの厚さが１５０〜５００μｍとなっている。
【特許文献１】特開２０００−１５８８４７号公報
【特許文献２】特開２００７−１２５８１６号公報
【発明の開示】
【発明が解決しようとする課題】
【０００７】
しかしながら、上述した従来の印刷媒体では、写真等を印刷した後に製本しなければならず、専用の製本機を導入することができない小規模写真店や家庭などでは、フォトブックを作成することが困難であった。
【０００８】
本発明はこのような事情に鑑みてなされたもので、専用の製本機がなくても、フォトブックを簡易に作成することができるインクジェット記録用紙、及びインクジェット記録装置を提供することを目的とする。
【課題を解決するための手段】
【０００９】
前記目的を達成するために、本発明に係る冊子状媒体（請求項１に記載の発明）は、  冊子状に製本加工された冊子状媒体を構成するインクジェット記録用紙であって、前記インクジェット記録用紙は、支持体の少なくとも片面にインク受容層を有し、前記支持体の少なくとも一部には磁性体が設けられていることを特徴とする。
【００１０】
また、前記目的を達成するために、本発明に係るインクジェット記録装置（請求項２に記載の発明）は、冊子状に製本加工された冊子状媒体を構成するインクジェット記録用紙を見開き状態で保持する媒体保持手段と、前記媒体保持手段に保持されたインクジェット記録用紙に対してインク液滴を打滴するインク打滴手段と、を備え、前記媒体保持手段は、磁力を発生する磁力発生部材を含んで構成されることを特徴とする。
【００１１】
請求項１及び請求項２に記載の発明によれば、インクジェット記録用紙を構成する支持体の少なくとも一部に磁性体が設けられるとともに、インクジェット記録用紙を保持する媒体保持手段に磁力発生部材が設けられるので、あらかじめ冊子状に製本加工された冊子状媒体を用いても、インクジェット記録用紙の浮き上がりを防止しつつ、インクジェット記録方式による画像記録が可能となる。これにより、専用の製本機がなくても、フォトブックを簡単に作成することができる。
【００１２】
請求項３に記載の発明は、請求項２に記載のインクジェット記録装置の一態様に係り、前記媒体保持手段は、平板状部材で構成され、前記平板状部材の中央部には、前記冊子状媒体の綴じ部を挿入するための開口部が形成されていることを特徴とする。
【００１３】
請求項４に記載の発明は、請求項３に記載のインクジェット記録装置の一態様に係り、前記平板状部材の両端部には、前記磁力発生部材が設けられていることを特徴とする。
【００１４】
請求項５に記載の発明は、請求項４に記載のインクジェット記録装置の一態様に係り、前記平板状部材には、前記磁力発生部材が内蔵されていることを特徴とする。
【００１５】
請求項６に記載の発明は、請求項２に記載のインクジェット記録装置の一態様に係り、  前記媒体保持手段は、所定の間隔をあけて平行に配置された一対の棒状部材と、前記一対の棒状部材の外側にそれぞれ配置された磁力発生部材とを含んで構成され、前記一対の棒状部材の間に前記冊子状媒体の綴じ部が挿入されるとともに、前記見開きページを構成するインクジェット記録用紙の端部は前記磁力発生部材で保持されることを特徴とする。
【発明の効果】
【００１６】
本発明によれば、インクジェット記録用紙を構成する支持体の少なくとも一部に磁性体が設けられるとともに、インクジェット記録用紙を保持する媒体保持手段に磁力発生部材が設けられるので、あらかじめ冊子状に製本加工された冊子状媒体を用いても、冊子状媒体を構成するインクジェット記録用紙の浮き上がりを防止しつつ、インクジェット記録方式による画像記録が可能となる。これにより、専用の製本機がなくても、フォトブックを簡単に作成することができる。
【発明を実施するための最良の形態】
【００１７】
以下、添付図面に従って本発明の好ましい実施の形態について詳説する。
【００１８】
〔インクジェット記録用紙〕
本発明では、製本するための専用機材を必要とすることなく、フォトブックを簡単に作成することができるようにするために、図１に示すように、あらかじめ冊子状（ブック状）に製本加工された複数のインクジェット記録用紙１２からなる冊子状媒体１０が用いられる。
【００１９】
ところで、図１（ｂ）に示すように、冊子状媒体１０を構成するインクジェット記録用紙１２の記録面が表面に露出されるようにした状態（見開き状態）でインクジェット記録方式による画像記録を行う場合、インクジェット記録用紙１２の浮き上がりが問題となる。インクジェット記録用紙１２の記録面の平面性が十分でないと、インクジェットヘッドのノズルから吐出されるインク液滴の着弾位置にずれが生じてしまい、画像品質の劣化を招く要因となる。
【００２０】
そこで本発明では、インクジェット記録用紙１２の浮き上がりを防止するために、インクジェット記録用紙１２の支持体の少なくとも一部に磁性体を設けるとともに、後述するインクジェット記録装置３０において、媒体保持手段である保持プレート３２に磁力発生部材３４を設け、当該磁力発生部材３４で発生する磁力によってインクジェット記録用紙１２の浮き上がりを防止している。
【００２１】
以下、インクジェット記録用紙の構成例（第１及び第２の実施形態）について詳しく説明する。
【００２２】
（第１の実施形態）
図２は、第１の実施形態に係るインクジェット記録用紙を含む冊子状媒体の構成例を示した斜視図である。また、図３は、第１の実施形態に係るインクジェット記録用紙の一部を示した断面図である。
【００２３】
図２及び図３に示すように、第１の実施形態に係るインクジェット記録用紙１２は、支持体１４の両面（表面及び裏面）にそれぞれインク受容層２０Ａ、２０Ｂを備えた両面記録可能な記録用紙である。
【００２４】
このインクジェット記録用紙１２の支持体１４には、当該記録用紙１２の全面にわたって、磁性シート又は磁性粒子を含む樹脂シートで構成される磁性体（磁性体層）１６が設けられ、更に、磁性体層１６の両面には、紙又はポリエチレン等で構成される支持層１８Ａ、１８Ｂが設けられている。そして、各支持層１８Ａ、１８Ｂの磁性体層１６側とは反対側の面にはそれぞれインク受容層２０Ａ、２０Ｂが設けられている。
【００２５】
即ち、インクジェット記録用紙１２は、裏面側（図３の下側）から表面側（図３の上側）に向かって順に、第２のインク受容層２０Ｂ、第２の支持層１８Ｂ、磁性体層１６、第１の支持層１８Ａ、及び第１のインク受容層２０Ａが積層された５層構造となっている。
【００２６】
本実施形態において、インクジェット記録用紙１２の各部の寸法は特に限定されるものではないが、一例として、各部の寸法は、インクジェット記録用紙１２の厚さ：５００μｍ程度、磁性体層１６の厚さ：２００μｍ程度、支持層１８Ａ、１８Ｂの厚さ：各１５０μｍ、インク受容層２０Ａ、２０Ｂの厚さ：各数μｍにそれぞれ構成される。
【００２７】
なお、本実施形態では、支持体の両面にそれぞれインク受容層を備えた両面記録が可能なインクジェット記録用紙を一例として示したが、本発明はこれに限らず、支持体の片面にインク受容層を備えた片面記録が可能なインクジェット記録用紙にも同様に適用することが可能である。後述する第２の実施形態についても同様である。
【００２８】
（第２の実施形態）
図４は、第２の実施形態に係るインクジェット記録用紙を含む冊子状媒体の構成例を示した斜視図である。また、図５は、第２の実施形態に係るインクジェット記録用紙の一部を示した断面図である。図４及び図５中、第１の実施形態と共通又は類似する部材には同一の符号を付して、その説明は省略する。
【００２９】
図４及び図５に示すように、第２の実施形態に係るインクジェット記録用紙１２の支持体１４には、第１及び第２の支持層１８Ａ、１８Ｂに挟まれる中間層において、当該記録用紙１２の四隅にそれぞれ磁性体（磁性体片）１６が設けられている。なお、上記中間層における他の領域（磁性体１６以外の領域）は、支持層１８Ａ、１８Ｂと同一材料（即ち、紙又はポリエチレン等）で構成されている。
【００３０】
本実施形態において、磁性体１６の形状及び大きさは特に限定されるものではなく、インクジェット記録用紙１２やインクジェット記録装置３０側構成部材（保持プレート３２及び磁力発生部材３４など）に応じて適宜最適なものが選択される。
【００３１】
磁性体１６の形状としては、例えば、円形状、正方形、長方形、その他各種形状を適用することが可能である。図４及び図５では、磁性体１６が円形状の平面形状を有する場合を一例として示している。
【００３２】
また、磁性体１６の大きさとしては、例えば、円形状の場合には、直径２０〜２５ｍｍであり、正方形状の場合には、一辺２０〜２５ｍｍである。また、長方形の場合には、加工容易性の観点から、長辺が２５ｍｍ以上紙幅以下が好ましい。
【００３３】
第２の実施形態によれば、インクジェット記録用紙１２の支持体１４には、当該記録用紙１２の全体ではなく、そのうちの一部のみに磁性体１６が設けられるので、上述した第１の実施形態に比べてインクジェット記録用紙１２の軽量化を図ることができる。これにより、フォトブックの持ち運びが容易となり、ユーザの利便性が向上する。
【００３４】
なお、本実施形態は、図６〜図１１に示すように変形することもできる。即ち、本実施形態の変形例として、磁性体１６が、図６に示すように、インクジェット記録用紙１２の外周に沿うように枠状に構成されていてもよいし、図７に示すように、インクジェット記録用紙１２の一辺（好ましくは、冊子状媒体１０の綴じ部１０ａと反対側の縁部）に沿うように長方形状に構成されていてもよい。また、複数の磁性体１６が、図８に示すように、所定の配列パターンに従って配列されていてもよいし、図９に示すように、ランダムに設けられていてもよい。更に、図１０に示すように、インクジェット記録用紙１２より少し小さく構成された磁性体１６が中央部に設けられていてもよい。また、図１１に示すように、インクジェット記録用紙１２の四隅ではなく、そのうちの一部の隅部（好ましくは、冊子状媒体１０の綴じ部１０ａ側とは反対側の隅部）に磁性体１６が設けられていてもよい。
【００３５】
〔インクジェット記録装置〕
次に、本発明に係るインクジェット記録装置について説明する。
【００３６】
図１２は、本発明に係るインクジェット記録装置の構成例を示した要部構成図である。同図に示すインクジェット記録装置３０は、主として、冊子状媒体１０を構成するインクジェット記録用紙１２上にインク液滴を打滴することによって画像を記録する描画部５０と、描画部５０に対向する位置で冊子状媒体１０を構成するインクジェット記録用紙１２を見開き状態で保持する保持プレート３２とを備えて構成される。
【００３７】
保持プレート３２の構成については後で詳しく説明するが、保持プレート３２は、不図示の媒体搬送機構によって副走査方向（媒体搬送方向）に移動可能に構成されており、保持プレート３２に保持されたインクジェット記録用紙１２を描画部５０のインクジェットヘッドに対して副走査方向に相対的に搬送することができるようになっている。
描画部５０は、マゼンタ（Ｍ）、シアン（Ｃ）、イエロー（Ｙ）、ブラック（Ｋ）の各色インクに対応した複数のインクジェットヘッド（以下、「記録ヘッド」という。）によって構成されている。
【００３８】
各色に対応する記録ヘッドには、インク吐出面（保持プレート３２に対向する面）に、インクジェット記録用紙１２の搬送方向（副走査方向）に沿って1又は複数のノズル列が設けられており、当該ノズル列を構成するインク吐出用の各ノズルから保持プレート３２上に保持されたインクジェット記録用紙１２に向けてそれぞれ対応する色インクの液滴を吐出する。
【００３９】
インクの吐出方式としては、圧電素子の変位を利用してインク液滴を吐出する圧電方式や、ヒータ等の発熱素子で発生する熱エネルギーを利用してインク液滴を吐出するサーマル方式など各種方式を適用することができる。
【００４０】
また、図示は省略するが、各色に対応する記録ヘッドはキャリッジに搭載されており、キャリッジ駆動機構によって、各記録ヘッドは、キャリッジと一体となってインクジェット記録用紙１２の搬送方向（副走査方向）に直交する主走査方向に往復動作できるように構成されている。
【００４１】
保持プレート３２を副走査方向に移動させつつ、各記録ヘッドが搭載されるキャリッジを主走査方向に往復移動させながら、各色に対応する記録ヘッドの各ノズルからそれぞれ対応する色インクの液滴を吐出することにより、インクジェット記録用紙１２の記録面に対して画像を記録することができる。
【００４２】
なお、本実施形態では、各色に対応する記録ヘッドとして、主走査方向に往復動作しながら記録を行うシリアル（シャトル）型ヘッドが適用された場合を一例として示したが、これに限らず、インクジェット記録用紙１２の主走査方向における画像形成領域の全幅をカバーするノズル列を有するフルライン型ヘッドを適用することも可能である。
【００４３】
各色に対応する記録ヘッドがフルライン型ヘッドで構成される態様によれば、インクジェット記録用紙１２と記録ヘッドを相対的に移動させる動作を１回行うだけで（即ち１回の副走査で）、インクジェット記録用紙１２の画像形成領域に画像を記録することができる。このため、シリアル型ヘッドが用いられる場合に比べて高速印字が可能であり、プリント生産性を向上させることができる。
【００４４】
また、本例では、ＭＣＹＫの４色の構成を例示したが、インク色や色数の組み合わせについては本実施形態に限定されず、必要に応じて淡インク、濃インク、特別色インクを追加してもよい。例えば、ライトシアン、ライトマゼンタなどのライト系インクを吐出する記録ヘッドを追加する構成も可能であり、各色ヘッドの配置順序も特に限定はない。
【００４５】
次に、保持プレート３２の構成について詳しく説明する。
【００４６】
図１２に示すように、保持プレート３２には、冊子状媒体１０を構成するインクジェット記録用紙１２が見開き状態で保持される。具体的には、印刷対象となる見開きページを構成するインクジェット記録用紙１２Ａ、１２Ｂが保持プレート３２の表面側（記録ヘッド側）に配置され、且つ、それ以外のインクジェット記録用紙１２Ｃが保持プレート３２の裏面側（記録ヘッド側とは反対側）に配置される。なお、図１２では、説明の便宜上、各インクジェット記録用紙１２の厚さを誇張して表現しているが、実際にはその厚さは薄く、冊子状媒体１０の綴じ部１０ａに形成される隙間（空間部）はほとんど生じない（図１４〜図１６についても同様である。）。
【００４７】
このように見開き状態でインクジェット記録用紙１２を保持できるようにするために、保持プレート３２の副走査方向中央部には、冊子状媒体１０の綴じ部１０ａを挿入するための開口部３６が設けられている。この開口部３６は、主走査方向を長手方向とする長方形状に構成され、保持プレート３２の表面及び裏面を貫通するとともに、主走査方向における一端部（図１２（ｂ）において下端部）側に開放されるように形成されている。これにより、保持プレート３２に対して開口部３６の開放部分から冊子状媒体１０の綴じ部１０ａを容易に挿入することができ、保持プレート３２上にインクジェット記録用紙１２（１２Ａ、１２Ｂ）を見開き状態で配置することができる。
【００４８】
開口部３６の長さＬ１は、保持プレート３２上でインクジェット記録用紙１２の一部がはみ出すことなく確実に保持できるようにするために、インクジェット記録用紙１２の長さＬ２よりも大きく構成されることが必要である。なお、開口部３６の長さＬ１は、保持プレート３２の長さＬ３よりも短く構成されるのはもちろんのことである（即ち、Ｌ２＜Ｌ１＜Ｌ３）。また、開口部３６の幅Ｗは、冊子状媒体１０の厚さに応じて適宜最適な幅を選択すればよい。
【００４９】
本実施形態において、冊子状媒体１０の種類毎に複数の保持プレート３２をあらかじめ用意しておき、冊子状媒体１０の種類に応じて保持プレート３２を交換して使用する態様が好ましい。保持プレート３２を冊子状媒体１０の種類に応じた専用ステージとすることで、ページ数などによる厚さの違いやサイズの違いなどによる影響を受けないで、冊子状媒体１０を構成するインクジェット記録用紙１２を安定した状態で保持することができる。
【００５０】
また、開口部３６の幅Ｗを可変させることができるスライド部材を設け、冊子状媒体１０の厚さに応じて開口部３６の幅Ｗを可変させるようにしてもよい。この態様によれば、冊子状媒体１０が薄い場合には、開口部３６の幅Ｗを小さくすることにより、インクジェット記録用紙１２の平面性を高めることができる。その一方で、冊子状媒体１０が厚い場合でも、開口部３６の幅Ｗを大きくすることにより、冊子状媒体１０を構成するインクジェット記録用紙１２を見開き状態で保持可能となる。これにより、様々な厚さの冊子状媒体１０を利用可能となり、ユーザの利便性が向上する。
【００５１】
更に、本実施形態では、保持プレート３２上に保持されたインクジェット記録用紙１２の浮き上がりを防止するために、上述したようにインクジェット記録用紙１２の支持体１４の少なくとも一部に磁性体１６が設けられるとともに、保持プレート３２の裏面側に永久磁石又は電磁石で構成される磁力発生部材３４が設けられている。
【００５２】
磁力発生部材３４の形状及び配置は、インクジェット記録用紙１２に設けられる磁性体１６の配置形態に応じて適宜選択すればよい。具体的には、冊子状媒体１０を構成するインクジェット記録用紙１２が見開きの状態で保持プレート３２に保持された状態において、保持プレート３２の表面側に配置されたインクジェット記録用紙１２に設けられる磁性体１６と磁力発生部材３４を同一平面（例えば保持プレート３２表面）上に投影した場合、磁性体１６及び磁力発生部材３４の少なくとも一部（より好ましくは全部）が重なるようにするとよい。
【００５３】
例えば、図２及び図３に示した第１の実施形態に係るインクジェット記録用紙１２（記録用紙の全面にわたって磁性体１６が設けられる態様）が用いられる場合には、保持プレート３２の裏面全体、或いは、保持プレート３２の裏面においてインクジェット記録用紙１２の外側端部（冊子状媒体１０の綴じ部１０ａ側とは反対側の端部）に対応する位置に設けるとよい。
【００５４】
図１２では、保持プレート３２の副走査方向両端部であって、インクジェット記録用紙１２Ａ、１２Ｂの外側端部（冊子状媒体１０の綴じ部１０ａ側とは反対側の端部）にそれぞれ対応する位置に磁力発生部材３４、３４が設けられる場合を一例として示している。
【００５５】
また、図１３に示すように、インクジェット記録用紙１２Ａ、１２Ｂの外側端部（冊子状媒体１０の綴じ部１０ａ側とは反対側の端部）に位置する隅部にそれぞれ対応する位置に正方形状の磁力発生部材３４を設けるようにしてもよい。図１３に示した構成は、図４及び図５に示した第２の実施形態に係るインクジェット記録用紙１２（インクジェット記録用紙１２の四隅に磁性体１６が設けられる態様）に特に好適な態様である。
【００５６】
また、本実施形態では、保持プレート３２の裏面側に磁力発生部材３４が固着されているが、特にこれに限定されるものではなく、保持プレート３２に磁力発生部材３４が内蔵されていてもよい。
【００５７】
図１４は、保持プレート３２に磁力発生部材３４が内蔵される場合の構成例を示した構成図である。同図に示す構成によれば、保持プレート３２に磁力発生部材３４が内蔵されるので、保持プレート３２の裏面側に設けられる場合に比べて、磁力発生部材３４で発生する磁力がインクジェット記録用紙１２の磁性体１６により強く作用するので、インクジェット記録用紙１２の浮き上がりをより確実に防止することができる。
【００５８】
このように構成されるインクジェット記録装置３０では、冊子状媒体１０を構成するインクジェット記録用紙１２が見開きの状態で保持プレート３２に保持された状態において、保持プレート３２と各記録ヘッドを相対的に移動させながら、各記録ヘッドのノズルからインク液滴を吐出することにより、インクジェット記録用紙１２上に画像記録が行われる。
【００５９】
保持プレート３２上に保持されたインクジェット記録用紙１２に対する画像記録を終えた場合、他のページに対する画像記録を継続して実施する場合には、保持プレート３２から冊子状媒体１０を一旦取り外して、手動にてページ変更を行い、冊子状媒体１０を保持プレート３２にセッティングし直し、画像記録を再び行う。そして、全ての画像記録が終了するまで以上の動作を繰り返す。このようにして、フォトブックを作成することができる。
【００６０】
以上説明したように、本実施形態によれば、あらかじめ冊子状に製本加工された冊子状媒体１０を構成するインクジェット記録用紙１２に対してインクジェット記録方式による画像記録が行われるので、小規模小売店や家庭などにおいても、専用の製本機を必要とすることなく、フォトブックを容易に作成することができる。
【００６１】
また、本実施形態では、冊子状媒体１０を構成するインクジェット記録用紙１２が見開き状態で保持プレート３２に保持される際、保持プレート３２に設けられた磁力発生部材３４で発生する磁力よってインクジェット記録用紙１２が保持プレート３２側に引き付けられるので、インクジェット記録用紙１２の浮き上がりを防止することができる。これにより、インクジェット記録用紙１２の記録面の平面性を確保することができ、画像品質の向上を図ることができる。
【００６２】
また、本実施形態では、冊子状媒体１０を構成するインクジェット記録用紙１２を見開き状態で保持するための媒体保持手段は、平板状部材（プレート部材）からなる保持プレート３２が用いられているが、特にこれに限定されるものではなく、例えば、棒状部材を用いるようにしてもよい。
【００６３】
図１５は、棒状部材を用いて冊子状媒体１０を見開きの状態で保持する場合の構成例を示した構成図である。図１５に示す構成では、棒状の保持部材３８Ａ、３８Ｂが所定の間隔をあけて平行に設けられ、更に、これらの外側には磁力発生部材３４Ａ、３４Ｂが設けられている。そして、棒状の保持部材３８Ａ、３８Ｂで冊子状媒体１０の綴じ部１０ａを保持するとともに、印刷対象となるインクジェット記録用紙１２Ａ、１２Ｂの外側端部（冊子状媒体１０の綴じ部１０ａとは反対側の端部）を磁力発生部材３４Ａ、３４Ｂで保持することにより、インクジェット記録用紙１２の浮き上がりを防止して、インクジェットヘッドの吐出面に対向する記録面の平面性を確保することができる。
【００６４】
また、本実施形態の好ましい態様として、フォトブック及びシート紙を印刷するための機構をそれぞれユニット化し、各ユニット（フォトブック印刷ユニット、シート紙印刷ユニット）を適宜入れ替えて使用することにより、１台のインクジェット記録装置でフォトブック及びシート紙の両方を印刷可能とするようにしてもよい。
【００６５】
例えば、図１６（ａ）に示すように、シート紙印刷ユニット６０は、主として、シート紙５４を供給するめの給紙部（給紙カセット）５２と、給紙部５２から供給されたシート紙５４を描画部５０に供給する搬送ローラ５６と、描画部５０に対向する位置でシート紙５４の裏面を支持するプラテン５８とを含んで構成される。また、図１６（ｂ）に示すように、フォトブック印刷ユニット７０は、主として、保持プレート３２と、磁力発生部材３４とを含んで構成される。このように構成されるシート紙印刷ユニット６０とフォトブック印刷ユニット７０を適宜入れ替えて使用すればよい。
【００６６】
なお、各ユニットの構成部材については、図１６に示した例に限定されず、各部の形状やサイズに応じて適宜選択すればよい。
【００６７】
このようにフォトブック及びシート紙を印刷するための機構をそれぞれユニット化して、各ユニットを入れ替えて使用することにより、１台のインクジェット記録装置でフォトブック及びシート紙を印刷することができる。これにより、省スペース化を図ることができ、特に家庭向けに適したインクジェット記録装置を提供することが可能となる。
【００６８】
以上、インクジェット記録用紙、及びインクジェット記録装置について詳細に説明したが、本発明は、以上の例には限定されず、本発明の要旨を逸脱しない範囲において、各種の改良や変形を行ってもよいのはもちろんである。
【図面の簡単な説明】
【００６９】
【図１】冊子状媒体の構成例を示した図
【図２】第１の実施形態に係るインクジェット記録用紙を含む冊子状媒体の構成例を示した斜視図
【図３】第１の実施形態に係るインクジェット記録用紙の一部を示した断面図である
【図４】第２の実施形態に係るインクジェット記録用紙を含む冊子状媒体の構成例を示した斜視図
【図５】第２の実施形態に係るインクジェット記録用紙の一部を示した断面図である
【図６】第２の実施形態に係るインクジェット記録用紙の第１の変形例を示した図
【図７】第２の実施形態に係るインクジェット記録用紙の第２の変形例を示した図
【図８】第２の実施形態に係るインクジェット記録用紙の第３の変形例を示した図
【図９】第２の実施形態に係るインクジェット記録用紙の第４の変形例を示した図
【図１０】第２の実施形態に係るインクジェット記録用紙の第５の変形例を示した図
【図１１】第２の実施形態に係るインクジェット記録用紙の第１の変形例を示した図
【図１２】本発明に係るインクジェット記録装置の構成例を示した要部構成図
【図１３】本発明に係るインクジェット記録装置の他の構成例を示した要部構成図
【図１４】保持プレートと磁力発生部が一体的に構成される場合の構成例を示した構成図
【図１５】棒状部材を用いて冊子状媒体を見開きの状態で保持する場合の構成例を示した構成図
【図１６】本発明の応用例を説明するための図
【符号の説明】
【００７０】
１０…冊子状媒体、１２…インクジェット記録用紙、１４…中間層、１６…磁性体、１８…支持層、２０…インク受容層、３０…インクジェット記録装置、３２…保持プレート、３４…磁力発生部材、３６…開口部、３８…棒状部材、５０…記録ヘッド
【図１】
2010076311.tif 000003
【図２】
2010076311.tif 000004
【図３】
2010076311.tif 000005
【図４】
2010076311.tif 000006
【図５】
2010076311.tif 000007
【図６】
2010076311.tif 000008
【図７】
2010076311.tif 000009
【図８】
2010076311.tif 000010
【図９】
2010076311.tif 000011
【図１０】
2010076311.tif 000012
【図１１】
2010076311.tif 000013
【図１２】
2010076311.tif 000014
【図１３】
2010076311.tif 000015
【図１４】
2010076311.tif 000016
【図１５】
2010076311.tif 000017
【図１６】
2010076311.tif 000018